(57)【要約】【課題】複数の面積切換を持つ面状採暖具において、面積切換運転と省電力運転を関連付けて切換可能とすることで、簡単な構成で所望するパターンの交互運転を可能とした面状採暖具を提供することを目的とする。【解決手段】複数のヒータ９を切り換えて任意の採暖面を選択して面積切換運転を行う面積切換制御手段８と、複数のヒータ９を順次切り換えて省電力運転を行う省電力制御手段８を有し、操作部１３には、面積切換運転と省電力運転を関連付けて設定できる操作手段１２，１４を有し、面積切換運転中に省電力運転の指示がなされた場合、面積切換運転で選択された採暖面で省電力運転を行うようにしたものである。【選択図】図７
2007218575.tif 000002
【特許請求の範囲】
【請求項１】
暖房範囲を複数に分割して形成した複数の採暖面に設けた複数のヒータと、各採暖面の温度を検出する温度検出手段と、運転条件を指示する操作部と、前記操作部の指示に基づき前記複数のヒータへの通電を制御する制御部とを備え、前記制御部には、前記温度検出手段の検出温度に基づき前記複数のヒータの通電を制御する制御手段と、前記複数のヒータを切り換えて任意の採暖面を選択して面積切換運転を行う面積切換制御手段と、前記複数のヒータを順次切り換えて省電力運転を行う省電力制御手段を有し、前記操作部には、面積切換運転と省電力運転を関連付けて設定できる操作手段を有し、面積切換運転中に省電力運転の指示がなされた場合、前記面積切換運転で選択された採暖面で省電力運転を行うようにした面状採暖具。
【請求項２】
暖房範囲を複数に分割して形成した複数の採暖面に設けた複数のヒータと、各採暖面の温度を検出する温度検出手段と、運転条件を指示する操作部と、前記操作部の指示に基づき前記複数のヒータへの通電を制御する制御部とを備え、前記制御部は、前記温度検出手段の検出温度に基づき前記複数のヒータの通電を制御する制御手段と、前記複数のヒータを切り換えて任意の採暖面を選択して面積切換運転を行う面積切換制御手段と、前記複数のヒータを順次切り換えて省電力運転を行う省電力制御手段を有し、少なくとも３つ以上の採暖面を有する構成において、前記面積切換制御手段で２つ以上の採暖面が選択されて面積切換運転が行われた場合、前記省電力制御手段により選択された採暖面を順次切り換えて省電力運転を可能とした面状採暖具。
【請求項３】
制御部は、省電力運転の有無を記憶する記憶手段を有し、電源切後再使用する場合は前回と同様の運転を行うこととした請求項１または２記載の面状採暖具。
【請求項４】
報知手段を備え、前記報知手段は、省電力運転される採暖面に対応して省電力運転状態の報知を行うようにした１〜３のいずれか１項に記載した面状採暖具。
【発明の詳細な説明】
【技術分野】
【０００１】
本発明は、電気カーペットや電気毛布等の面状採暖具に関し、特に、複数の採暖面を有する場合の通電制御に関するものである。
【背景技術】
【０００２】
従来、この種の面状採暖具は図１、図２、図３に示すように、電気カーペット本体の暖房面積を複数に分割し、この分割された暖房範囲内に、図３に示すような温度検知線２の外側にポリアミドを主成分とした感温材３を被覆し、さらにその外側にヒータ１をスパイラル状に巻き付け、さらにその外側を塩化ビニールで被覆して構成した感温ヒータ線９がそれぞれ独立して図２に示す如く配設されている。
【０００３】
そして、暖房範囲を２面とした場合、２本のヒータをＯＮ／ＯＦＦ制御する技術として図４に示すように、同時にＯＮ／ＯＦＦする場合（全面通電）と、必要な面を選択してＯＮ／ＯＦＦする場合（片面通電）とがある（例えば、特許文献１参照）。
【０００４】
さらに、交互にＯＮ／ＯＦＦする場合（交互通電）、さらには、全面と片面を順次に通電する場合（順次通電）等が考えられる。
【０００５】
以上のようなＯＮ／ＯＦＦ制御技術により、複数のヒータを配置した面状採暖具における省電力運転を実現し、不必要な暖房運転を抑制するものであった。
【特許文献１】実開昭５６−１４６３９０号公報
【発明の開示】
【発明が解決しようとする課題】
【０００６】
しかしながら、従来の面状採暖具では、暖房をするための採暖面を切り換える面積切換操作手段と、通電制御を切り換えて採暖面を効果的に暖房する省電力切換操作手段は有するものの、面積切換操作手段と省電力切換操作手段は一連の切換操作でしか設定できないものであったため、面積切換運転や省電力運転を選択する場合、都度、全ての運転切換を経由してからでないと選択することができないというものであった。例えば、２面切換が可能な面状採暖具においては、図８に示すように全面通電からＡ面通電、Ｂ面通電のあとに全面の交互通電が行われるというように、省電力運転を選択する場合、３回の切換操作が必要であった。そのため、図９に示すような３面以上の切換が行われる面状採暖具においては、交互運転を選択しようとする場合、７回の切換操作が必要となり、極めて使い勝手の悪いものであった。
【０００７】
また、この改善策として、面積切換操作手段と省電力切換操作手段を別々に設け、面積切換運転と省電力運転を個別に設定できるようにすることも考えられるが、この場合、省電力運転は予め定めたパターンでしか交互運転を行うことができず、多くの面に分割された採暖面を有する場合にあって複数通りの交互運転を行うようにする場合には極めて複雑な切換手段を必要とするものであった。
【０００８】
本発明は、前記従来の課題を解決するもので、複数の面積切換を持つ面状採暖具において、面積切換運転と省電力運転を関連付けて切換可能とすることで、簡単な構成で所望するパターンの交互運転を可能とした面状採暖具を提供することを目的とする。
【課題を解決するための手段】
【０００９】
前記従来の課題を解決するために、本発明の面状採暖具は、暖房範囲を複数に分割して
形成した複数の採暖面に設けた複数のヒータと、各採暖面の温度を検出する温度検出手段と、運転条件を指示する操作部と、前記操作部の指示に基づき前記複数のヒータへの通電を制御する制御部とを備え、前記制御部には、前記温度検出手段の検出温度に基づき前記複数のヒータの通電を制御する制御手段と、前記複数のヒータを切り換えて任意の採暖面を選択して面積切換運転を行う面積切換制御手段と、前記複数のヒータを順次切り換えて省電力運転を行う省電力制御手段を有し、前記操作部には、面積切換運転と省電力運転を関連付けて設定できる操作手段を有し、面積切換運転中に省電力運転の指示がなされた場合、前記面積切換運転で選択された採暖面で省電力運転を行うようにしたものである。
【００１０】
上記発明によれば、面積切換運転と省電力運転を関連付けて設定できる操作手段を有しているため、面積切換運転中に省電力運転の指示をするだけで、所望する採暖面において省電力運転が可能となり、使い勝手が極めて向上できると共に、消費電力の削減も簡単に行うことができる。
【発明の効果】
【００１１】
本発明の面状採暖具は、複数の面積切換を持つ面状採暖具において、面積切換運転と省電力運転を関連付けて切換可能とすることで、簡単な構成で所望するパターンの交互運転を可能とすることができる。
【発明を実施するための最良の形態】
【００１２】
第１の発明は、暖房範囲を複数に分割して形成した複数の採暖面に設けた複数のヒータと、各採暖面の温度を検出する温度検出手段と、運転条件を指示する操作部と、前記操作部の指示に基づき前記複数のヒータへの通電を制御する制御部とを備え、前記制御部には、前記温度検出手段の検出温度に基づき前記複数のヒータの通電を制御する制御手段と、前記複数のヒータを切り換えて任意の採暖面を選択して面積切換運転を行う面積切換制御手段と、前記複数のヒータを順次切り換えて省電力運転を行う省電力制御手段を有し、前記操作部には、面積切換運転と省電力運転を関連付けて設定できる操作手段を有し、面積切換運転中に省電力運転の指示がなされた場合、前記面積切換運転で選択された採暖面で省電力運転を行うようにしたことを特徴とするものである。
【００１３】
そして、面積切換運転と省電力運転を関連付けて設定できる操作手段を有しているため、面積切換運転中に省電力運転の指示をするだけで、所望する採暖面において省電力運転が可能となり、使い勝手が極めて向上できると共に、消費電力の削減も簡単に行うことができる。
【００１４】
第２の発明は、暖房範囲を複数に分割して形成した複数の採暖面に設けた複数のヒータと、各採暖面の温度を検出する温度検出手段と、運転条件を指示する操作部と、前記操作部の指示に基づき前記複数のヒータへの通電を制御する制御部とを備え、前記制御部は、前記温度検出手段の検出温度に基づき前記複数のヒータの通電を制御する制御手段と、前記複数のヒータを切り換えて任意の採暖面を選択して面積切換運転を行う面積切換制御手段と、前記複数のヒータを順次切り換えて省電力運転を行う省電力制御手段を有し、少なくとも３つ以上の採暖面を有する構成において、前記面積切換制御手段で２つ以上の採暖面が選択されて面積切換運転が行われた場合、前記省電力制御手段により選択された採暖面を順次切り換えて省電力運転を可能としたことを特徴とするものである。
【００１５】
そして、少なくとも３つ以上の採暖面を有する構成において、面積切換制御手段で２つ以上の採暖面が選択されて面積切換運転が行われた場合、省電力制御手段により選択された採暖面を順次切り換えて省電力運転が可能な構成としているため、特に、多くに分割された採暖面を有する場合において、利用者が好みの採暖パターンを選択した場合の省電力運転の操作性を向上させることができると共に、消費電力の削減も簡単に行うことができ
る。
【００１６】
第３の発明は、制御部は、省電力運転の有無を記憶する記憶手段を有し、電源切後再使用する場合は前回と同様の運転を行うようにしたことを特徴とするものである。
【００１７】
そして、利用者の生活パターンに応じて設定された運転条件を常に記憶するようにしているため、より使い勝手の向上を図ることができる。
【００１８】
代４の発明は、報知手段を備え、前記報知手段は、省電力運転される採暖面に対応して省電力運転状態の報知を行うようにしたものである。
【００１９】
このため、従来では省電力運転中であることを操作部にて指示した状態を確認するしかなかったことと比較して、また、単なるヒータ通電と連動した表示と比較して、複数採暖面のうちのどの面が選択されている状態にあって、省電力運転がなされているのかが、明確に使用者が確認できる。
【００２０】
以下、本発明の実施の形態について、図面を参照しながら説明する。なお本実施の形態によって本発明が限定されるものではない。
【００２１】
（実施の形態１）
以下、本発明の実施の形態１について図面を用いて説明する。なお、従来例と同一部分は同一番号を付与して詳細説明は省略する。
【００２２】
本実施の形態における回路構成、ヒータ配設構成、感温ヒータ線は図１、図２、図３に示す従来例と同一であり、ヒータ１と温度検知線２は温度によりインピーダンスが変化する感温材３を挟んで感温ヒータ線９を構成している。図３は、その感温ヒータ線９の構成図である。温度検知線２の外側にポリアミドを主成分とした感温材３を被覆し、さらにその外側にヒータ１をスパイラル状に巻き付け、さらにその外側を塩化ビニールで被覆して構成している。この感温ヒータ線９を図２に示すように電気カーペット本体に配線している。図２においては暖房面を２つに分割し採暖面を２面としたヒータ配設構成を示している。また、ヒータ回路を増やすことにより任意に分割した採暖面を構成することができ、図２に示すヒータ配設構成に横方向にもう一つのヒータ回路を配設することで、図７に示す３面の採暖面を有する面状採暖具を構成することができ、本実施の形態では、この暖房面を３つに分割した面状採暖具について、その特徴的な動作の説明を行う。
【００２３】
面状採暖具本体には、コーナ部に運転入切操作スイッチ１０、温度調節ボリューム１１、面状切換操作手段１２、省電力運転切換操作手段１４及びヒータ通電制御部８さらに、分割した採暖面に対応するように設けた報知手段であるＬＥＤ（本実施の形態ではＡ面〜Ｃ面に対応してＬＥＤ１５ａ〜１５ｃ）と、それに加えて図５（ｂ）には省電力運転に対応するＬＥＤ省電力運転ＬＥＤ１６を有したコントローラ１３が設けられ、このコントローラ１３からの操作指示により所定の運転モードでヒータ１の加熱運転が行われ、所望の加熱パターンで採暖面の暖房運転が行われる。
【００２４】
ここでまず、３分割した採暖面を、コントローラ１３側をＡ面、中央をＢ面、残りの面をＣ面とする。温度制御についてはＡ／Ｂ／Ｃ面ともに同一制御であるため、あえてＡ／Ｂ／Ｃ面の区別はせずに説明を行うものとする。
【００２５】
次に、ヒータ１の制御動作について説明すると、運転入切操作スイッチ１０がオン操作されると、ヒータ１の発熱により、電気カーペット本体の温度が変化する。この温度変化により感温材３のインピーダンスが変化し、温度検知線２からヒータ１へ流れる電流が変
化する。この電流変化を温度信号として取り出して温度検出手段７にて温度検出を行う。上記動作における温度検出信号とヒータ温度の特性を図４に示す。リレー４がＯＮしている場合にはヒータ温度の上昇につれ感温材３のインピーダンスが小さくなるため電流が大きくなり温度検出信号は図４ｄに示すように小さくなる。温度設定信号よりも温度検出信号が小さくなったときに比較手段６から制御部８へ設定温度到達の信号が入力されて、リレー４がＯＦＦする。図２のようなブロック構成の場合、リレー４がＯＦＦ状態時には電流が流れないため温度検出手段の検出信号は図４ａの矢印で示すようにＨｉ電圧一定となる。また、リレーＯＦＦ時はＯＦＦタイマ（図示せず）によって図４ｂに示すように一定時間ＯＦＦが継続される。ＯＦＦタイマが一定時間（例えば１．５分）経過するとリレー４をＯＮし、図４ｃに示すように再び温度制御を開始する。上記動作を繰り返すことで採暖面の温度をコントローラ１３の温度調節ボリューム１１等で構成された温度設定手段５で設定した好みの温度に制御される。
【００２６】
温度設定手段５は可変抵抗器やプッシュスイッチ等を用いて使用者から好みの温度を設定され、これを設定温度として比較手段６に入力している。
【００２７】
本実施例では電力制御素子としてリレー４を用いているが、サイリスタやトライアックなどのスイッチング素子を用いてもよい。
【００２８】
次に、コントローラ１３に配置された面積切換操作手段１２を操作することで、３分割された採暖面、Ａ面、Ｂ面、Ｃ面を図７に示すように任意の組み合わせで７通りの暖房面として選択することができる。そして、この面積切換操作手段１２の操作だけで暖房運転を行う場合は、選択した採暖面１７において、上記した如く、コントローラ１３の温度調節ボリューム１１で設定された温度に基づいてヒータ加熱制御が行われ、所定の温度に制御される。
【００２９】
次に、コントローラ１３に配置された省電力切換操作手段１４を操作すると、この省電力切換操作手段１４は面積切換操作手段１２に関連付けて作用するように構成しているため、面積切換操作手段１２で図７（ａ）に示すように全面通電モードが選択されている場合は、この選択された採暖面１７、Ａ面、Ｂ面、Ｃ面において、各面が同時に通電状態とならないように、Ａ面からＢ面、Ｃ面へと順次採暖面を切り換えていき、省電力切換操作手段１４から順次通電の停止指示がなされるまで、Ａ面、Ｂ面、Ｃ面の順次通電を継続する。また、面積切換操作手段１２が押され通電面が切り換えられた場合、例えば、図７（ｂ）のようにＡ面とＢ面が選択された場合は、この選択された採暖面１７、Ａ面とＢ面において、各面が同時に通電状態とならないように、Ａ面からＢ面へと交互通電を行うようにしている。次に、面積切換操作手段１２で図７（ｃ）に示すようにＢ面とＣ面が選択された場合は、この選択された採暖面１７、Ｂ面とＣ面において、各面が同時に通電状態とならないように、Ｂ面からＣ面へと交互通電を行う。さらに、図７（ｄ）に示すようにＡ面とＣ面が選択された場合は、上記同様、Ａ面とＣ面で交互通電を行うようにしている。
【００３０】
そして、図７（ｅ）〜図７（ｇ）が選択された場合は、一面のみの通電となるので省電力切換操作手段１４からの指示は無効とし、使用者により選択された面のみ通電され、交互通電は行わないようにしている。
【００３１】
次に、コントローラ１３に配置された省電力切換操作手段１４の操作により省電力運転となり、面積切換操作手段１２で図７（ａ）に示すように全面通電モードが選択されている場合は、一定の間隔で図６（ａ）に示すように、コントーラ１３に配置されたＬＥＤ１５ａ〜１５ｃが順次点灯を繰り返す。また、面積切換操作手段１２が押され通電面が切り換えられた場合、例えば面積切換操作手段１２で図７（ｂ）に示すようにＡ面とＢ面が選択された場合は、図６（ｂ）に示すようにＬＥＤ１５ａ、１５ｂが順次点灯を繰り返す。
次に、面積切換操作手段１２で図７（ｃ）に示すようにＢ面とＣ面が選択された場合は、図６（ｃ）に示すようにＬＥＤ１５ｂ、１５ｃが順次点灯を繰り返す。さらに、図７（ｄ）に示すようにＡ面とＣ面が選択された場合は、上記同様、図６（ｄ）に示すようにＬＥＤ１５ａ、１５ｃが順次点灯を繰り返す構成とする。
【００３２】
上記構成でのこのコントローラ１３に配置されたＬＥＤ１５ａ〜１５ｃが点灯するタイミングは、本実施の形態ではヒータが通電面を切り換えるタイミングと非同期で説明しているが、同期してもよい。ヒータ切り換えとＬＥＤ点灯のタイミングが非同期の場合であればＬＥＤ１５ａ〜１５ｃの点灯時間（例えば図６（ａ）のｔ１）は、実通電時間（例えば図６（ａ）のｔ２）よりも短い点灯時間で切り替えて点灯していくようにし、一定の順序で切り換えても、また順序も限定せずランダムに点灯を切り換えてもよい。
【００３３】
このとき、図９に示すように面積切換操作手段１２で通電面が切り換わる場合、各ヒータがＯＮ/ＯＦＦするタイミングは、例えばＡ面からＢ面に通電面が切り換わる場合、Ａ面ＯＦＦとＢ面ＯＮのタイミングが同時でもよいし、Ａ面ＯＦＦした後、一定間隔後にＢ面がＯＮしてもよい。また、ＬＥＤの点灯の切り換えのタイミングも、通電状態に同期するか非同期とするかにかかわらず、次のＬＥＤの点灯と前のＬＥＤの消灯が同時でもよいし、ほぼ同時か、一定時間隔をあけるようにしてもよい。
【００３４】
このようなＬＥＤの点灯が短い時間間隔で切り換わる構成では、各分割した面のうちの選択した面において省電力運転中であることが、使用者に一見してわかる、すなわち、ヒータの通電面切替運転中であることを視覚にて認識できる。この点灯時間や切り替え変更間隔は、１秒から５秒程度の時間の点灯であれば、ほぼ使用者が一見して通電面切替中であることを確認できることを確かめており、好ましくは１．５秒程度であるとよい。
【００３５】
一方で、実際の省電力運転での面切り替えにおけるヒータ通電は、次のような制御をおこなっている。約３m２（２畳相当）で、５１０Ｗのヒータ線を配設した場合、まず、電源をＯＮした直後に省電力運転の操作がされると、立ち上がり時から所定の時間（約６０分）は、１．５分で面切り替えを行なって、早く選択面が温まるようにしている。そして所定時間経過してある程度暖房面の温度が安定すると、コントローラの温度調節ボリュームで設定した温度レベルを目標にヒータ通電を行う。ただし、通電時間が３分を経過すると非通電面が温度低下するという不具合を防ぐために、設定温度にならなくとも通電の切り換えを行う。
【００３６】
また、ＬＥＤ１５ａ〜１５ｃの点灯タイミングが、ヒータが通電面を切り換えるタイミングと同期している場合、これは、比較的長時間のＬＥＤの点灯となる。すなわち使用者が一見して状態を認識しづらいこともあると考えられるので、面積切換手段１２により採暖面として選択されているにも関わらず省電力運転のため非通電面となっている面に対応するＬＥＤの表示の仕方を変えることで、非通電状態であることを明示し、省電力運転中であることを報知することも可能である。例えば非通電面については対応するＬＥＤを消灯させる構成、または点滅させる構成でもよい。また、ＬＥＤの輝度を通電面と非通電面とで変えるという手段も考えられる。また、ＬＥＤの色調をかえることも考えられる。このような構成とすることで、通電面と非通電面との識別が可能で、現在どの面が通電されているかを一目で判断することが出来る。２色ＬＥＤを用いた場合、通電面を赤、非通電面を緑とすることも考えられる。また、この色調は赤と緑に限定するものではない。また、通電面１箇所につき２個のＬＥＤを配置した場合、通電時に点灯するＬＥＤと、非通電時に点灯するＬＥＤとを分け、対応させて表示することが出来る。また、この場合通電面の温度によって点灯するＬＥＤを変更する、ということも考えられる。また、上記構成はヒータが通電面を切り換えるタイミングと非同期にＯＮ、ＯＦＦする場合においても適応できる。
【００３７】
なお、上記構成は、通電状態に同期もしくは非同期でＬＥＤを表示させるかをどのように構成するかを説明したが、採暖面の温度状態に対応した表示をさせるようにする構成としてもよい。これであれば、保温された状態にある非通電状態の面については保温状態であることを示すように通電状態（例えば赤）と識別可能な暖色系（たとえばオレンジ等）でＬＥＤ表示させ、非通電ではあるが、省電力運転で選択された面であり、表面温度が保温されている状態を表示するような構成とすることも可能である。これであれば、一色表示で点灯、消灯、点滅状態を組み合わせて通電状態が面によって異なることを示した場合と比較し、使用者が一見した場合に、通電されてはいないが「保温された暖かい面」と「通電されている面」とを識別し、これらの面で、省電力運転していることを認識することが可能である。なお、保温された状態を表示する構成について、表示切り替えの時間間隔はヒータの通電に同期しても、非同期でもよく、ＬＥＤの一色表示で先に説明した構成を適用すればよい。
【００３８】
次に、省電力切換操作手段１４を操作すると、図５（ｂ）に示すように省電力運転ＬＥＤ１６が点灯し、省電力運転へ切り換えられる構成となっている。この省電力切換操作手段１４は省電力運転ＬＥＤ１６だけでなく、他の機能と対応するＬＥＤ、例えば制御的に省エネ運転を行っている場合、省エネ運転ＬＥＤをコントローラ１３に配置すると、省電力切換操作手段１４を操作することで、省電力と省エネを切り換えられる構成となる。
【００３９】
以上のように、本実施の形態における省電力運転は、面積切換操作手段１２で選択した採暖面１７において、順次通電あるいは交互通電を行うようにしているため、面積切換運転中に省電力運転の指示をするだけで、所望する採暖パターンにおいて省電力運転が可能となり、使い勝手が極めて向上できると共に、消費電力の削減も簡単に行うことができる。
【００４０】
また、上記面積切換操作手段１２及び省電力切換操作手段１４で選択した運転条件は、制御部８に設けられた記憶手段に記憶され、運転入切操作スイッチ１０で通電停止の指示がなされた後、再度通電を再開したときは、記憶手段に記憶された運転条件に基づいて運転を再開することができるようにしているため、使用者の好みの採暖パターンで運転を行うことができる。
【００４１】
また、上記省電力切換操作手段１４にて省電力運転が選択されている場合、面積切換操作手段１２で選択した通電面に対応するＬＥＤ１５ａ〜１５ｃのいずれかが点灯または点滅することで、使用者は現在選択している面積が、通常運転を行っているのか若しくは省電力運転を行っているのかどうかの情報を視覚的に知ることが出来る。なお、本実施の形態では報知手段をＬＥＤを用いての視覚的表示としたが、報知手段はこれにかぎらず、他の汎用表示方法を用いてもよい。
【産業上の利用可能性】
【００４２】
以上のように、本発明にかかる面状採暖具は、使用者の使い易い形態においても消費電力量を減少させることが出来るので、電気カーペット、電気毛布等の面状採暖具等の用途にも適用できる。
【図面の簡単な説明】
【００４３】
【図１】本発明の実施の形態１における面状採暖具の制御回路図
【図２】同面状採暖具の斜視図
【図３】同面状採暖具の感温ヒータ線の構成図
【図４】同面状採暖具の感温ヒータ線の温度特性図
【図５】同面状採暖具のコントローラを示す図
【図６】同面状採暖具のＬＥＤとヒータの関連を示す図
【図７】同面状採暖具の通電パターンを示す図
【図８】従来の２面分割面状採暖具の通電パターンを示す図
【図９】従来の３面分割面状採暖具の通電パターンを示す図
【符号の説明】
【００４４】
１  ヒータ
２  温度検知線
７  温度検出手段
８  制御部
９  感温ヒータ線
１０  電源入切操作手段
１１  温度調節ボリューム
１２  面積切換操作手段
１３  コントローラ（操作部）
１４  省電力切換操作手段
１５ａ  Ａ面ＬＥＤ（報知手段）
１５ｂ  Ｂ面ＬＥＤ（報知手段）
１５ｃ  Ｃ面ＬＥＤ（報知手段）
１６  省電力運転ＬＥＤ（報知手段）
１７  採暖面
【図１】
2007218575.tif 000003
【図２】
2007218575.tif 000004
【図３】
2007218575.tif 000005
【図４】
2007218575.tif 000006
【図５】
2007218575.tif 000007
【図６】
2007218575.tif 000008
【図７】
2007218575.tif 000009
【図８】
2007218575.tif 000010
【図９】
2007218575.tif 000011